(57)【要約】【課題】簡単な構成でありながら、転写ローラの位置決め精度を向上し得て、しかも、操作性を向上することができる画像形成装置を提供する。【解決手段】感光体ドラムに対向配置された転写ローラ４４と、転写ローラ４４を感光体ドラムに向けて付勢する転写ローラ押圧バネ部材７３と、転写紙を搬送するためのガイドと、ロック方向にバネ付勢されたユニット固定用フック６１と、転写ローラ押圧バネ部材７３の付勢に抗して転写ローラ４４を感光体ドラムから離間させる転写ローラ解除レバー７６と、これらを配置すると共に下方に回動支点を備えたハウジングと、装置本体側に設けられて転写ローラ４４を位置決めする転写ローラ位置決め部と、ユニット固定用フック６１をロック解除方向に回動させると共に転写ローラ解除レバー７６をロック解除方向に回動させる開閉操作用取っ手５３と、を備えている。【選択図】      図８
2011158624.tif 000002
【特許請求の範囲】
【請求項１】
感光体ドラムに対向配置された転写ローラと、該転写ローラを前記感光体ドラムに向けて付勢する転写ローラ押圧部材と、転写紙を搬送するためのガイドと、ロック方向にバネ付勢された固定フックと、前記転写ローラ押圧部材の付勢に抗して前記転写ローラを前記感光体ドラムから離間させる転写ローラ解除レバーと、これらを配置すると共に下方に回動支点を備えたハウジングと、装置本体側に設けられて前記転写ローラを位置決めする転写ローラ位置決め部と、前記固定フックをロック解除方向に回動させると共に前記転写ローラ解除レバーを解除方向に回動させる操作部と、を備えていることを特徴とする画像形成装置。
【請求項２】
前記転写ローラが前記感光体ドラムに対して位置決めされた状態において、前記固定フックは前記転写ローラ解除レバーによりロック解除位置に移動することが規制されることを特徴とする請求項１に記載の画像形成装置。
【請求項３】
前記操作部は、前記装置本体の外壁の一部を構成するパネルの開閉操作用取っ手であることを特徴とする請求項１に記載の画像形成装置。
【発明の詳細な説明】
【技術分野】
【０００１】
本発明は、トナー像を担持した感光体ドラムと対向して転写ローラを配置すると共に、この転写ローラと周辺の搬送部とをユニット化して転写搬送ユニットを構成した画像形成装置に関する。
【背景技術】
【０００２】
従来から、トナー像を担持した感光体ドラムと対向して転写ローラを配置すると共に、この転写ローラと周辺の搬送部とをユニット化して転写搬送ユニットを構成した画像形成装置が知られている。
【０００３】
この際、転写搬送ユニットをＪＡＭ処理を行うために、感光体ドラムに対向する位置と離間する位置とに選択的に配置できる構成を採用した場合、感光体ドラムに対する転写ローラの位置決めが重要となってくるため、累積公差が大きくなる転写搬送ユニットで転写ローラの位置決めを行うよりも、感光体ドラムに近いドラムハウジングや装置本体を構成する本体フレームに転写搬送ユニットの位置決め部分を設けている（例えば、特許文献１参照）。
【０００４】
また、転写ローラを感光体ドラムに対して接近・離反させる場合、常時は感光体ドラムの中心に対して転写ローラをバネ付勢して押圧させる必要があることから、転写搬送ユニットを装着した後に転写ローラの押圧を許容するためのガイド溝等が必要となるうえ、ユーザーがＪＡＭ処理等を行い易いように転写搬送ユニットの回動支点は転写搬送ユニットの下側に配置して上方開放とするのが好ましい。
【先行技術文献】
【特許文献】
【０００５】
【特許文献１】特開２００１−１３４１６４号公報
【発明の概要】
【発明が解決しようとする課題】
【０００６】
しかしながら、転写搬送ユニットの回動支点を下側にしてしまうと、転写ローラから回動支点が離れてしまうため、感光体ドラムの中心方向への転写ローラの押圧方向と転写搬送ユニットの回動方向とにズレが発生し易いうえ、転写ローラの回動の軌跡と転写ローラの位置決め用の受け部材に沿った動きの角度が直角に近い大きな角度となり、転写ローラに荷重が加わってしまい、転写搬送ユニットの開閉操作に過大な力が必要で操作性が悪くなってしまう。
【０００７】
尚、転写ユニットの開閉操作を容易に行う方法として、例えば、転写ローラの感光体ドラムへの押圧をレバー操作で切り替え可能とするなどが考えられるが、押圧解除するバネ圧と転写搬送ユニットの固定フックのバネ圧との両方が必要となり、依然として大きな操作力が必要となるばかりでなく、転写ローラへのバネ圧が急激にかかるため、そのショックで操作感が悪くなったり、異音が発生したりする可能性も考えられる。
【０００８】
そこで、本発明は、簡単な構成でありながら、転写ローラの位置決め精度を向上し得て、しかも、操作性を向上することができる画像形成装置を提供することを目的とする。
【課題を解決するための手段】
【０００９】
本発明の画像形成装置は、感光体ドラムに対向配置された転写ローラと、該転写ローラを前記感光体ドラムに向けて付勢する転写ローラ押圧部材と、転写紙を搬送するためのガイドと、ロック方向にバネ付勢された固定フックと、前記転写ローラ押圧部材の付勢に抗して前記転写ローラを前記感光体ドラムから離間させる転写ローラ解除レバーと、これらを配置すると共に下方に回動支点を備えたハウジングと、装置本体側に設けられて前記転写ローラを位置決めする転写ローラ位置決め部と、前記固定フックをロック解除方向に回動させると共に前記転写ローラ解除レバーをロック解除方向に回動させる操作部と、を備えていることを特徴とする。
【００１０】
この際、前記転写ローラが前記感光体ドラムに対して位置決めされた状態において、前記固定フックは前記転写ローラ解除レバーによりロック解除位置に移動することが規制される構成とするのが好ましい。
【００１１】
また、前記操作部は、前記装置本体の外壁の一部を構成するパネルの開閉操作用取っ手であるのが好ましい。
【発明の効果】
【００１２】
本発明の画像形成装置は、簡単な構成でありながら、転写ローラの位置決め精度を向上し得て、しかも、操作性を向上することができる。
【図面の簡単な説明】
【００１３】
【図１】本発明の一実施形態に画像形成装置としての複合機の説明図である。
【図２】本発明の一実施形態に係る画像形成装置に適用される側面パネルの斜視図である。
【図３】本発明の一実施形態に係る画像形成装置の側面パネル開放状態の要部の断面図である。
【図４】本発明の一実施形態に係る画像形成装置の側面パネル開放状態の要部の拡大断面図である。
【図５】本発明の一実施形態に係る画像形成装置の要部の説明図である。
【図６】本発明の一実施形態に係る画像形成装置に適用される側面パネルのロック状態の要部の斜視図である。
【図７】本発明の一実施形態に係る画像形成装置に適用される側面パネルのアンロック状態の要部の斜視図である。
【図８】（Ａ）は本発明の一実施形態に係る画像形成装置に適用される側面パネルのロック状態の側面図、（Ｂ）は本発明の一実施形態に係る画像形成装置に適用される側面パネルのアンロック状態の側面図である。
【図９】（Ａ）は本発明の一実施形態に係る画像形成装置に適用される転写搬送ユニットの斜視図、（Ｂ）は本発明の一実施形態に係る画像形成装置に適用される転写搬送ユニットの転写ローラユニットを取り外した状態の斜視図である。
【図１０】本発明の一実施形態に係る画像形成装置における転写搬送ユニットの断面図である。
【図１１】本発明の一実施形態に係る画像形成装置における転写搬送ユニットの要部の断面図である。
【図１２】本発明の一実施形態に係る画像形成装置における転写搬送ユニットの要部の拡大断面図である。
【図１３】本発明の一実施形態に係る画像形成装置における転写ローラユニットの斜視図である。
【図１４】本発明の一実施形態に係る画像形成装置における装置本体側の要部の斜視図である。
【図１５】本発明の一実施形態に係る画像形成装置における要部の一方側からの斜視図である。
【図１６】本発明の一実施形態に係る画像形成装置における要部の他方側からの斜視図である。
【図１７】本発明の一実施形態に係る画像形成装置における要部のロック状態の斜視図である。
【図１８】本発明の一実施形態に係る画像形成装置における要部のアンロック状態の斜視図である。
【発明を実施するための最良の形態】
【００１４】
次に、本発明の一実施形態に係る画像形成装置について、図面を参照して説明する。なお、以下に示す実施例は本発明の画像形成装置における好適な具体例であり、技術的に好ましい種々の限定を付している場合もあるが、本発明の技術範囲は、特に本発明を限定する記載がない限り、これらの態様に限定されるものではない。
【００１５】
（複合機１１の全体構成）
図１において、１１は複写機・プリンタ・ファクシミリ・スキャナーの各機能を具備した画像形成装置としての複合機１１である。
【００１６】
本発明の一実施形態に係る画像形成装置としての複合機１１は、装置本体１２と、装置本体１２の前面から引き出し可能な給紙カセット１３と、給紙カセット１３に収納した転写紙（図示せず）とは別の転写紙（図示せず）を利用可能とするために装置本体１２の一方の側面に開閉可能に設けられた手差トレイ１４と、複写機・ファクシミリ・スキャナの各種機能として原稿を読み取る際に使用する自動原稿送り装置（ＡＤＦ）１５と、各種機能等の設定・選択操作を行う操作部１６とを備えている。尚、複合機１１の形状や構成・機能等は図示例のものに限定されるものではない。
【００１７】
（装置本体１２の内部構成）
また、装置本体１２の内部には、給紙カセット１３に収納された転写紙を取り出して排紙トレイ１７に向けて搬送する給紙搬送経路１８と、給紙搬送経路１８の転写紙搬送方向上流側に配置されたレジストローラ対１９と、レジストローラ対１９よりも給紙搬送経路１８の転写紙搬送方向下流側に配置された画像形成部２０と、画像形成部２０によって転写紙の表面に転写されたトナー像を転写紙の表面に定着させる定着部２１と、給紙搬送経路１８の装置本体１２内での最下流部に配置された排出部２２と、を備えている。
【００１８】
さらに、給紙搬送経路１８は、複数の経路が分岐・合流されており、本実施の形態では、給紙搬送経路１８の転写紙搬送方向最上流寄りで手差トレイ１４から供給された転写紙が合流するトレイ給紙経路２３と、定着部２１よりも給紙搬送経路１８の転写紙搬送方向下流側に配置された分岐経路２４と、両面印刷の場合に分岐経路２４に導かれた転写紙を表裏反転させるスイッチバック経路２５と、スイッチバック経路２５によって表裏反転した転写紙をレジストローラ対１９よりも転写紙搬送方向上流側の給紙搬送経路１８へと戻す反転経路２６と、を備えている。
【００１９】
（レジストローラ対１９の構成）
レジストローラ対１９は、給紙カセット１３又は手差トレイ１４から取り出された転写紙の搬送方向先端をレジストセンサ（図示せず）で検出することにより、転写紙の先端位置と画像形成部２０を構成する感光体ドラム２７の表面に形成されたトナー像位置とを同期させるものである。
【００２０】
具体的には、レジストセンサが転写紙の先端を検出してから所定時間経過後にレジストローラ対１９と感光体ドラム２７の回転駆動を開始させ、レジストセンサが転写紙の後端を検出してから所定時間経過後にレジストローラ対１９と感光体ドラム２７の回転駆動を停止する。また、レジストセンサは、給紙カセット１３から給紙搬送経路１８へと送り出された転写紙の転写紙搬送方向に沿うシート長を検出するもので、転写紙の先端を検出してから後端を検出するまでの時間によって転写紙の長さ（転写紙搬送方向に沿う方向）を検出する。
【００２１】
レジストローラ対１９は、モータ等の駆動源（図示せず）に連繋されている。そして、レジストローラ対１９は、静止状態において、転写紙の先端がニップされたときに瞬間的に転写紙の搬送を停止することで転写紙の斜め送りを矯正する。
【００２２】
（画像形成部２０の構成）
本実施の形態において、画像形成部２０は、補給用トナー収納容器２８と現像器ユニット２９と、転写部３０と、を備えている。
【００２３】
（補給用トナー収納容器２８の構成）
補給用トナー収納容器２８は、補給用トナーが収納された容器本体３１と、容器本体３１の上面開口を閉成するコンテナカバー３２とを備えている。また、補給用トナー収納容器２８は、その内部に一対のトナー攪拌部材３３，３４とスパイラルロッド３５とを備えている。
【００２４】
トナー攪拌部材３３，３４は、容器本体３１の一方の側面（駆動部側）から他方の側面に跨って設けられている。また、トナー攪拌部材３３，３４は攪拌羽根３６を備え、容器本体３１内に収納されたトナーを撹拌しつつスパイラルロッド３５へと搬送する。
【００２５】
スパイラルロッド３５は、トナー撹拌部材３３，３４によって撹拌搬送された補給用のトナーを転写紙幅方向の一方側に向けて搬送し、その一方側から現像器ユニット２９に補給用のトナーを供給する。
【００２６】
尚、補給用トナー収納容器２８は、装置本体１２に対して着脱可能（交換可能）とされ、装置本体１２の正面カバー（図示せず）を開放することによって補給用トナー収納容器２８の着脱（交換）を行うことができる。
【００２７】
（現像器ユニット２９の構成）
現像器ユニット２９は、筺体内部でトナーを循環移動させつつ像担持体としての感光体ドラム２７にトナーを供給するもので、トナー供給方向上流側から順に、一対のスパイラルフィーダ（攪拌ミキサー）３７，３８と、感光体ドラム２７と対向する現像ローラ３９とを回転可能に備えている。
【００２８】
また、現像器ユニット２９の内部には、スパイラルフィーダ３７，３８の間を隔絶する隔壁４０が形成されている。この隔壁４０の両端は、現像器ユニット２９の縦壁（紙面と直行する転写紙幅方向両端の壁面）との間に隙間が形成されており、転写紙幅方向の一方側で補給用トナー収納容器２８から補給されたトナーを含めて、スパイラルロッド３５の下方に配置されたスパイラルフィーダ３７により現像器ユニット２９の一方（紙面奥行き方向）へとトナーが攪拌搬送（往路）された後に、この一方側の隙間で折り返されてスパイラルフィーダ３８により現像器ユニット２９の他方（紙面手前方向）へとトナーが攪拌搬送（復路）されてこの他方側の隙間で再び折り返される循環経路が構成されている。
【００２９】
さらに、現像器ユニット２９の外壁面には、現像器ユニット２９のトナー量を検出するトナーセンサ４１が設けられている。
【００３０】
現像ローラ３９は、その周面が感光体ドラム２７の周面と対向するように配置されている。従って、現像ローラ３９に搬送されつつあるトナーは、現像ローラ３９を介して感光体ドラム２７の周面に供給され、これによって感光体ドラム２７の周面に静電潜像に応じたトナー像が形成される。
【００３１】
トナーセンサ４１は、その出力信号に基づいて設置箇所付近（トナー補給部付近）のトナー量が検出され、制御回路（図示せず）によって補給用トナー収納容器２８からのトナー補給量や補給タイミング等が制御される。
【００３２】
（転写部３０の構成）
転写部３０は、感光体ドラム（例えば、アモルファスシリコン製）２７の周囲に、感光体ドラム２７の回転方向（図１の反時計回り方向）に沿う画像形成プロセス順に、帯電デバイス４２・露光デバイス４３・現像ローラ３９・転写ローラ４４・クリーニングデバイス４５・除電デバイス４６を備えている。
【００３３】
帯電デバイス４２には、直流電圧（Ｖｄｃ）に交流電圧（Ｖａｃ）を重畳した帯電バイアスが印加される。
【００３４】
露光デバイス４３は、例えば、図示を略するパーソナルコンピュータから送信された印刷データに含まれる画像データを処理して、感光体ドラム２７の表面にレーザ光を照射する。尚、ここでの印刷データには、上述した画像データの他、例えば、画像形成処理部数・拡大／縮小率・画像濃度等の各種設定に関するデータ等が該当する。
【００３５】
転写ローラ４４には転写電圧が印加され、感光体ドラム２７の表面に形成されたトナー像を、感光体ドラム２７と協働して転写紙をニップ搬送しつつ、その印加電圧によって転写する。
【００３６】
クリーニングデバイス４５は、転写紙へのトナー転写後に感光体ドラム２７の表面に残存した転写残トナーや転写紙粉等を除去する。
【００３７】
除電デバイス４６には、例えば、ＬＥＤ光源等が用いられ、帯電デバイス４２で帯電された感光体ドラム２７を除電する。
【００３８】
（定着部２１の構成）
定着部２１は、画像形成部２０によって転写紙の表面に転写された未定着トナー像を定着させるために、転写紙の表面側、即ち、未定着トナー像側に配置された加熱部材としての加熱ローラ４７（又は加熱ベルト）と、給紙搬送経路１８を挟んで加熱ローラ４７と対向する加圧部材としての加圧ローラ４８とを備え、この加圧ローラ４８を加熱ローラ４７に圧接することで転写紙をニップ搬送する。
【００３９】
転写紙の表面に形成された未定着トナー像は、加熱ローラ４７に直接接触することによって溶融し、転写紙の裏面側から加圧ローラ４８で加圧されることによってそのまま転写紙の表面に溶融トナーが定着像として定着される。
【００４０】
尚、加熱ローラ４７の表面には、溶融トナーが付着しないように表面コーティング処理等がなされている。また、加熱ローラ４７の表面に付着してしまった溶融トナー等は図示を略するクリーニングデバイス等によって除去される。
【００４１】
（各給紙搬送経路の構成）
給紙搬送経路１８は、給紙カセット１３からカセット給紙部で取り出した最上位の転写紙を、レジストローラ対１９、感光体ドラム２７と転写ローラ４４（転写部３０）、定着部２１、の順でニップ搬送した後、排出部２２から排紙トレイ１７に至る経路を形成している。
【００４２】
トレイ給紙経路２３は、給紙トレイからトレイ給紙部で取り出した最上位の転写紙を、レジストローラ対１９に向けて搬送する経路を形成している。
【００４３】
分岐経路２４は、給紙搬送経路１８の定着部２１よりも搬送方向下流側に切り替え可能に設けられた切替部材４９を備え、この切替部材４９の経路切り替えにより、スイッチバック経路２５に転写紙を搬送する経路を形成している。
【００４４】
スイッチバック経路２５は、排出部２２の上方に設けられて正逆回転するスイッチバックローラ対５０を備え、転写紙の一部をニップ搬送しつつスイッチバックした転写紙を反転経路２６に向けて搬送する経路を形成している。
【００４５】
反転経路２６は、装置本体１２と側面パネル５１との共同によって形成され、スイッチバック経路２５から搬送された転写紙をレジストローラ対１９に向けて搬送する経路を形成している。
【００４６】
（側面パネル５１の構成）
複合機１１の一方の外側壁面の一部を形成する側面パネル５１は、図２に示すように、その外壁面側下方に形成されて給紙トレイを回動可能に支持すると共に常時（非使用時）は手差トレイ１４を収納する凹部５２と、外壁面側上方に回動可能に設けられた開閉操作用取っ手５３と、装置本体１２内に位置する裏面側下方に回動可能に支持した転写搬送ユニット５４と、を備えている。また、側面パネル５１と転写搬送ユニット５４とは、図３に示すように、装置本体１２の下方に設けられた同一のユニット支持軸５５を中心として回動し、図４及び図５に示すように、装置本体１２に一端が固定されたカバーストラップ５６とユニットストラップ５７との長さの差異によりその開放度が異なっており、それぞれ下方のユニット支持軸５５を回動支点としたことと相俟って、上方に拡開する開放状態とすることができ、転写ローラ４４の交換作業やＪＡＭ処理の容易性が確保されている。さらに、側面パネル５１は、常時（閉成時）はその裏面で転写搬送ユニット５４の背面側との対向間隔、すなわち、反転経路２６の転写紙厚み方向の間隔を規定するように転写搬送ユニット５４を支持している。この際、転写搬送ユニット５４は、開閉操作用取っ手５３を用いた側面パネル５１の開放操作に連動して側面パネル５１による支持状態が解除されると共に、感光体ドラム２７から転写ローラ４４が離間するように構成されている。
【００４７】
開閉操作用取っ手５３は、図６〜図８に示すように、側面パネル５１の裏面側上部に設けられたパネル支持軸５８に回動可能に支持され、開閉操作用取っ手５３の回動操作に連動してパネル支持軸５８の両端に設けられて装置本体１２のカバー固定部（図示せず）と係合するカバー固定用フック５９を回動させる。また、側面パネル５１の裏面側には、カバー固定用フック５９の回動に連動して上下方向にスライド変位する連結スライダ６０と、連結スライダ６０の下端に当接するように回動可能とされたユニット固定用フック６１と、が設けられており、連結スライダ６０の下方変位によってユニット固定用フック６１が回動して側面パネル５１による転写搬送ユニット５４の支持状態が解除される。
【００４８】
ユニット固定用フック６１は、装置本体１２側に設けられたユニット固定用フック係合部６２と係合することにより転写搬送ユニット５４の全体を位置決めして側面パネル５１と転写搬送ユニット５４との相対位置を規定するフック部６３と、開閉操作用取っ手５３の開放操作に連動して感光体ドラム２７から転写ローラ４４を離間させる離間操作部６４と、を備えている。尚、ユニット固定用フック６１には、フック部６３がユニット固定用フック係合部６２と係合する方向に付勢（ねじりバネ等）されている。
【００４９】
（転写搬送ユニット５４の構成）
転写搬送ユニット５４は、図９〜図１２に示すように、ユニット支持軸５５が貫通するユニットベースブラケット６５を両端下方に固定したユニットベースハウジング６６と、ユニットベースハウジング６６に設けられた転写ローラユニット保持部６７に保持された転写ローラユニット６８と、を備えている。
【００５０】
ユニットベースハウジング６６は、レジストローラ対１９のうち側面パネル５１側に位置する一方のレジストローラ６９を回転可能に直接保持している。また、ユニットベースハウジング６６は、一方のレジストローラ６９を装置本体１２内側の他方のレジストローラ７０に向けて付勢するレジストローラ押圧バネ部材７１を備えている。尚、ユニットベースハウジング６６の表面側と裏面側及び底面側は上述した各搬送経路１８，２６の一部を形成している。
【００５１】
転写ローラユニット６８は、図１３に示すように、転写ローラユニット保持部６７に収納される転写ローラハウジング７２と、転写ローラ４４と、転写ローラ４４を感光体ドラム２７に向けて付勢する転写ローラ押圧バネ部材７３と、レジストローラ対１９と転写部３０との間の搬送経路１８を形成する一対の転写前ガイドの一方（側面パネル５１側）である転写前裏面側ガイド７４と、感光体ドラム２７から転写紙を分離させる分離針７５と、ユニット固定用フック６１の離間操作部６４と当接して転写ローラ押圧バネ部材７３を付勢に抗して伸縮させることで転写ローラ４４を感光体ドラム２７から離間させる転写ローラ解除レバー７６（図８参照）と、を備えている。
【００５２】
したがって、側面パネル５１を開放する際、その開放操作開始時に感光体ドラム２７に対して転写ローラ４４が必要以上に接触することが無く、感光体ドラム２７への傷付きが抑制されている。
【００５３】
分離針７５は、転写ローラ４４よりもシート搬送方向下流側の給紙搬送経路１８に先端が露出するように転写紙幅方向に沿って複数配置されており、分離電圧の印加によって感光体ドラム２７と分離針７５との間で放電させ、転写ローラ４４によって帯電させられた転写紙を除電して感光体ドラム２７から転写紙を分離する。
【００５４】
（装置本体１２の構成）
装置本体１２は、図１４に示すように、感光体ドラム２７と、他方のレジストローラ７０と、ユニット固定用樹脂部材７７とを備えている。
【００５５】
ユニット固定用樹脂部材７７は、転写搬送ユニット５４の回動軌跡と開度とを規定するようにユニットストラップ５７と係合するユニットストラップガイド溝７８と、ユニット固定用フック係合部６２と、転写ローラ４４の両端に設けられた転写ローラカラー７９と係合することで転写ローラ４４を位置決めする略Ｕ字溝形状の転写ローラ位置決め部８０と、一方のレジストローラ６９の両端に設けられたレジストローラカラー８１と係合することで一方のレジストローラ６９を位置決めする略Ｕ字溝形状のレジストローラ位置決め部８２と、転写前裏面側ガイド７４と対向する他方の転写前ガイドとしての転写前表面側ガイド８３と、を備えている。
【００５６】
（実施例）
次に、本発明の画像形成装置における具体的な実施例を図１５乃至図１８に基づいて説明する。
【００５７】
ここで、転写ローラ４４は、転写搬送ユニット５４のパネル支持軸５８を回動支点とした回動の軌跡と転写ローラ位置決め部８０の溝形状に沿った動きの角度とは大きな角度となっているために負荷が大きくなってしまう。
【００５８】
この際、転写ローラ４４の両端部には転写ローラ解除レバー７６が設けられており、その近傍を回動支点として回動可能となっている。また、転写ローラ解除レバー７６は側面パネル５１に設けられたユニット固定用フック６１の近傍にまで延びている。この転写ローラ解除レバー７６は側面パネル５１の開放操作に連動してユニット固定用フック６１が回動すると当接して転写ローラ４４のロックを解除するようになっている。
【００５９】
即ち、転写ローラ解除レバー７６とユニット固定用フック６１とが非当接状態にあるときは、転写ローラ４４は転写ローラ押圧バネ部材７３の付勢によって感光体ドラム２７に向けて押圧状態にある。尚、転写ローラ解除レバー７６とユニット固定用フック６１との間には若干のクリアランスがあり、転写ローラ押圧バネ部材７３による転写ローラ４４への押圧力が不安定にならないようになっている。しかし、固定用フック６１が解除位置に移動しようとしても途中で、転写ローラ解除レバー７６と転写ローラ押圧バネ部材７３の付勢力によって規制される。このため、固定フックのロック状態を安定して維持することが可能である。
【００６０】
一方、ユニット固定用フック６１が回動して転写ローラ押圧バネ部材７３による転写ローラ４４の付勢が解除されている状態では、そのバネ圧はユニット固定用フック６１を閉じる方向に掛かり、ユニット固定用フック６１のバネ圧をアシストするようになっているため、結果的に転写ローラ４４のバネ圧をユニット固定用フック６１にも利用し得て、トータルバネ圧を小さくすることができ、小さい操作力での操作を実現することができる。また、転写ローラ４４への加圧・解除の切り替え時のバネ圧の変動も無いため、加圧時のショックや異音の発生等も無く、スムーズな操作感を得ることができるばかりでなく、ユニット固定用フック６１を転写ローラ解除レバー７６に当接させるだけなので、簡素で安価な構成でありながら力の損失も少なくすることができる。
【符号の説明】
【００６１】
１１…複合機
１２…装置本体
２７…感光体ドラム
４４…転写ローラ
５１…側面パネル
５３…開閉操作用取っ手
５４…転写搬送ユニット
６１…ユニット固定用フック
６６…ユニットベースハウジング
６８…転写ローラユニット
７１…レジストローラ押圧バネ部材
７３…転写ローラ押圧バネ部材
７６…転写ローラ解除レバー
８０…転写ローラ位置決め部
【図１】
2011158624.tif 000003
【図２】
2011158624.tif 000004
【図３】
2011158624.tif 000005
【図４】
2011158624.tif 000006
【図５】
2011158624.tif 000007
【図６】
2011158624.tif 000008
【図７】
2011158624.tif 000009
【図８】
2011158624.tif 000010
【図９】
2011158624.tif 000011
【図１０】
2011158624.tif 000012
【図１１】
2011158624.tif 000013
【図１２】
2011158624.tif 000014
【図１３】
2011158624.tif 000015
【図１４】
2011158624.tif 000016
【図１５】
2011158624.tif 000017
【図１６】
2011158624.tif 000018
【図１７】
2011158624.tif 000019
【図１８】
2011158624.tif 000020